(57)【要約】【課題】床冷暖房効率を向上させることができ、床としての機能を兼ね備えた床冷暖房パネルを提供する。【解決手段】下部プレートには流体が滞留することなく導かれるよう蛇行溝を形成し、溝と溝の間には荷重が掛っても耐える堰が形成され、蛇行溝の底面部には膨張圧力を逃がすため底面を湾曲する構造に形成している。下部プレートの両端には流体の流入、排出を確保するため複数個のフランジを口金本体に接合、収納配置した口金が、左右それぞれ接合し、口金本体が接合された下部プレートの上に、上部平面プレートを重ね合せ外周部を接合し床材としての機能を有し、直接パネル平面で冷暖房するため、熱が効率的に伝導することで冷暖房が向上することができる。【選択図】図１
2012042188.tif 000002
【特許請求の範囲】
【請求項１】
床冷暖房パネル本体１は、上部平面プレート２の外周部２ａと、蛇行溝５を形成している下部プレート３の外周部３ａを接合し、両プレート（２，３）の間に流体を流入排出するための口金４を挟み、口金４の外周部を接合し形成したことを特徴とする床冷暖房パネル。
【請求項２】
請求項１において、蛇行溝５を形成している下部プレート３には、流体を加熱したとき流体が膨張するため、膨張圧力によるパネル本体への変形を防止するため、蛇行溝５の底部５ａを湾曲させ膨張によるパネル内圧を調整し変形を抑えることを特徴とする床冷暖房パネル。
【請求項３】
請求項２において蛇行溝５を形成している下部プレート３は、耐荷重構造にするため、蛇行溝と溝の間に堰６が形成されており、堰６の頭頂部６ａは上部平面プレート２と接地し接地面を接合し形成したことを特徴とする床冷暖房パネル。
【請求項４】
請求項１において、口金４には流体を受入れる複数個の流入口４ａと流体を排出するため複数個の排出口４ｂを口金に設けたことを特徴とする床冷暖房パネル。
【発明の詳細な説明】
【技術分野】
【０００１】  本発明は、建物の床に用いられる床冷暖房パネルに関する。
【背景技術】
【０００２】  現在、床冷暖房パネルは実用化されておらず、冷房に関してはエアコンを使用して冷風を出すだけであり、床暖房は従来の床暖房パネルのみとして販売されている。しかし従来の床暖房パネルは配管型の床暖房が多く、配管を埋設するための溝が施されているパネルに銅管や樹脂を使用している配管を埋設し、上部に床材を施工する床暖房パネルが提案されている。（特許文献１参照）
ところが配管型の床暖房は配管と床材との接地面積が少ないため熱伝導率が非常に悪く、床材はなかなか暖まらず暖房するまでにはかなりの時間を有している。また、上記床暖房パネルは床としての機能を有していないため床材が必要となっている。
【先行技術文献】
【特許文献】
【０００３】
【特許文献１】特開２０００−１０４９３６号公報
【発明の概要】
【発明が解決しようとする課題】
【０００４】  従来の床暖房パネルでは床暖房を開始しても上記理由により立ち上がり時間が掛るため、熱源装置の使用時間が長くなりその分、燃料の使用量が多く燃料代が掛ってしまう問題が発生している。また冷房にはエアコンを使用するため冷風が直接当ることで体調を崩したりする。また、電気代も掛ってしまう。【０００５】  本発明の主たる目的は、上記従来の問題点を解消し瞬時に、効率的に床冷暖房をすることができ、燃料代を従来の８分の１以下に減らすことができる床冷暖房パネルを提供することにある。
本発明の別の目的は、上記目的に加えて、床面としての機能を有することができる床冷暖房パネルを提供することにある。
【課題を解決するための手段】
【０００６】  上記問題点を解決するために、請求項１に記載の発明は、流体が滞留することなく導かれるよう蛇行溝を形成している下部プレートの両端に、流体を流入、排出するための口金を左右それぞれ接合し、口金が接合された下部プレートの上に、上部平面プレートを重ね合せ外周部を接合していることを要旨とする。【０００７】  請求項２に記載の発明は、請求項１においてパネル内の流体は、加熱により膨張するため前記下部プレートには流体を滞留させないための蛇行溝を形成している、さらに蛇行溝の底面にはパネル内の内圧が上昇することでパネル本体の変形を防止するために、各溝の底面を湾曲させることで圧力を吸収し変形を防止しすることを要旨とする。【０００８】  請求項３に記載の発明は、請求項１、２において、前記下部プレートには蛇行溝が形成されており、溝と溝の間には堰が形成され、堰の頭頂部と上部プレートの接地面を接合していることを要旨とする。【０００９】  請求項４に記載の発明は、請求項１において、流体を流入、排出するための口金４に、流量を確保するため雄ネジ、雌ネジ型の複数個のフランジを設けており、下部プレートにそれぞれ１対設置され、パネル本体１を接続し増設できる。または口金４本体にフランジを使用せずネジを形成することもできることを要旨とする。
【発明の効果】
【００１０】  請求項１〜４の記載によれば、蛇行溝を形成した下部プレートに複数個のフランジを有する口金と上部平面プレートを接合し形成していることで流体の流量を確保することでパネルの厚みを薄く形成でき、蛇行溝５で流体の流れを整えてパネル全面で直接暖めることで暖房効率や、保温性が格段に向上したことを要旨とする。【００１１】  請求項３記載の発明によれば、上記の効果に加えて、パネルを薄く形成しても蛇行溝間の堰により耐荷重構造となるので、床としての機能を確保し、流体の流れを整え滞溜をなくすことで暖房効率を向上させることを要旨とする。
【図面の簡単な説明】
【００１２】
【図１】床冷暖房用パネルの一部省略平面図。
【図２】床冷暖房用パネルの横断面図
【図３】床冷暖房用パネルの縦断面図
【図４】床冷暖房用パネル口金の縦断面図
【発明を実施するための形態】
【００１３】  以下、本発明を具体化した床冷暖房用パネルの実施形態を図面にしたがって説明する。
図１、図２に示すように、この床冷暖房パネル本体１は扁平長四角形に形成され、上部平面プレート２は床としての機能を有するため衝撃に対して凹凸が出ないように例えは厚さ寸法が１．０〜２．０ｍｍの鋼板を使用。また鋼板を厚くすることで熱の保温力を保持する。下部プレート３には図１、図２に示すように蛇行溝５が予めプレス機により絞り形成されていることで流体が滞留することなく流れる。図２に示すように、上部平面プレート２と下部プレート３が重なる両長辺側部分における下部プレートはＬ字状の突条３ｂが形成され、上部平面プレート２と下部プレート３を重ね合わせた状態でシーム溶接部２ａによりシールする状態で接合されている。
【００１４】  図１、図３に示すように、蛇行溝５には口金４が収納配置するためのスペースとし収納部５ｂが左右それぞれに形成されており、雄ネジ型と雌ネジ型の口金４を収納配置した状態で溶接にて接合されている。
【００１５】  図２に示すように、パネル本体１は床の一部として使用するため、下部プレート３はあらゆる衝撃を吸収できるように例えば厚さ寸法が０．５〜１．０ｍｍの鋼板を使用し上部平面プレート２より厚みを薄くしている。この下部プレート３の底部５ａには内部に向かって湾曲するようプレス形成されているが、流体は加熱されると膨張しパネル内圧が上昇するため、底部５ａが湾曲していないと内圧を吸収できずパネルが膨らんでしまうため、変形を防止するため底部５ａを湾曲形成することで圧力を調整している。
【００１６】  前記下部プレート３をプレス形成するとき、蛇行溝５と蛇行溝５に間には堰６が形成されているが、堰６の頭頂部６ａは上部平面プレート２と堰溶接部７にて溶接されており、パネル内圧が上昇しても上部平面プレート２が頭頂部６ａから浮き上がることはないため、流体は安定して蛇行溝を流れる。この堰６はさらに上部からの外圧を横方向に膨らんで逃がすことで、外圧を吸収させ弾力性を持たせ耐荷重構造となっている。
【００１７】  図１、図４に示すように、口金４は流体の流量を確保するため流入口、排出口が入る口金穴４ｃが複数個有しており、流入側には流入口４ａが、排出側には排出口４ｂのフランジがそれぞれ口金４に収納配置されている。この口金４の内径における口金穴４ｃの片側はテーパー状に形成され、接続部分の流入口４ａ、排出口４ｂの口径は真円形であるがテーパー部分に向かい楕円形に広がり口金テーパー部８の口径は接続部分の口径に対して倍の口径とし、さらに口金テーパー部分８の外周部を溶接接合することで水漏れを防止している。また、口金４にフランジを収納配置せず、口金４に直接ネジを形成し接続もできる。この口金４にはパネル本体１をさらに増接続したときパネルとパネルの間にあるフランジ部分を保護する保護板をボルト固定するための保護板固定穴９が形成され、パネルを敷詰めても凹凸が無く床面として使用できる。
【符号の説明】
【００１８】  １…パネル本体、４ａ，４ｂ…接合用フランジ部。
【図１】
2012042188.tif 000003
【図２】
2012042188.tif 000004
【図３】
2012042188.tif 000005
【図４】
2012042188.tif 000006